(57)【特許請求の範囲】
【請求項１】
クランプバンド（１０）からつくられたホースクランプであって、当該ホースクランプの閉じた状態において相互に重なり合う端部を有し、重なり合わされる内側端部が、前記クランプバンド（１０）の全幅を有する第１端部と、前記クランプバンド（１０）の全幅よりも小さい幅を有する舌状部（１１）と、前記ホースクランプを閉じるためのフック（１２，１３）とを含み、前記重なり合わされる外側端部が、前記フック（１２，１３）を受け入れるための開口部（１８）と、クランプされるべき対象物の周囲に前記ホースクランプを締め付けるための耳状の締め付け装置（１７）と、前記舌状部（１１）を受け入れるためのアーチ状バンド部（１６）とを有し、当該アーチ状バンド部（１６）が前記クランプバンド（１０）から長手方向カット部（１４）により切り出されて側方バンドウェブ（１５）を形成し、また当該アーチ状バンド部（１６）が前記耳状締め付け装置（１７）から離れて開始及び終了しているホースクランプにおいて、
前記側方バンドウェブ（１５）は締め付け状態において前記第１端部と重なり、
前記開口部（１８）の個数が前記フック（１２，１３）の個数よりも多く、
前記クランプバンド（１０）が、前記耳状締め付け装置（１７）以外には段状部を有さず、且つ、
前記舌状部（１１）の長さが、締め付けられていない状態でのホースクランプの周長と、締め付けられた状態でのホースクランプの周長との差よりも短いことを特徴とする、前記ホースクランプ。
【請求項２】
前記長手方向カット部（１４）が、少なくとも１つの中間位置（１９）にて中断され、この位置にて前記アーチ状バンド部（１６）が前記側方バンドウェブ（１５）と連続している、請求項１に記載のホースクランプ。
【請求項３】
前記開口部（１８）が円形である、請求項１又は２に記載のホースクランプ。
【請求項４】
前記フックが、前記ホースクランプの前記締め付け状態において、ホースクランプの偶発的開放を防止するように固定するための固定フック（１３）と、前記両端部を積極的に相互接続するための少なくとも１つの支持フック（１２）とを含む、請求項１〜３のいずれかに記載のホースクランプ。
【発明の詳細な説明】
【技術分野】
【０００１】
本発明はホースクランプに関する。
【背景技術】
【０００２】
ホースクランプ（例えば、ホースをパイプニップルに接続するために使用されるようなホースクランプ）は、大抵、クランプバンドの内面がホースに全周にわたり間隙なく接触し、且つ、ホースとパイプニップルとの間に連続的に均一なシール圧力が得られるような所定の定格直径を有してつくられる。
【０００３】
特許文献１及び特許文献２からホースクランプが知られ、これらのホースクランプは、クランプバンドの内側端部が、クランプバンドの全幅よりも狭い幅を有する舌状部と、前記ホースクランプを閉じるためのフックとを有する。そして、外側端部が、前記フックに係合するための開口部と、クランプされるべき対象物の周囲に前記ホースクランプを締め付けるための耳状の締め付け装置とを有する。前記クランプバンドの外側端部には、さらに、前記舌状部を受け入れるためのアーチ状のバンド部が設けられている。当該アーチ状バンド部は、前記クランプバンドから長手方向カット部により、側方バンドウェブを残して切り出されている。また、前記アーチ状バンド部は、前記クランプバンド内に形成された段状部にて開始し、この段状部がクランプバンドの厚さに相当している。
【０００４】
前記舌状部の長さは、ホースクランプの、閉じられているがまだ締め付けられていない状態において、前記舌状部の先端が前記段状部を幾分の長さだけ横断して前記側方バンドウェブによりガイドされるように、そして一方、締め付けられた状態においてはバンドの全幅が前記段状部に達してはならないように設計される。従って、前記舌状部の長さは、前記締め付けられていないホースクランプと締め付けられたホースクランプとの周長の差に、少なくとも等しくなければならない。
【０００５】
特許文献３により開示されているホースクランプは、クランプバンドの外側部分が、ストップエッジを有する細長い窓部を有し、クランプバンドの内側部分が、一連のフックを有する舌状部を有する。これらのフックの１つが、ホースクランプの締め付け状態において前記ストップエッジに係合する。このホースクランプは、大抵、様々な直径に使用可能であるが、前記舌状部の内端部と前記窓部の外端部との間に残された領域が常に存在し、この領域において、ホースは狭い舌状部のみにより支持され、これに対応してシール圧力が低減する。
【０００６】
上記以外では、例えば、特許文献４からスクリュークランプが、直径が調節可能なクランプとして知られている。このスクリュークランプは、実際、製造及び取付けが、より高価である。
【先行技術文献】
【特許文献】
【０００７】
【特許文献１】欧州特許出願公開第０６９７５５４号明細書
【特許文献２】国際公開第２００７／１２８３３４号パンフレット
【特許文献３】欧州特許出願公開第０６５７６７６号明細書
【特許文献４】欧州特許出願公開第０５２３６００号明細書
【発明の概要】
【発明が解決しようとする課題】
【０００８】
本発明の全体的な目的は、先行技術の同等のホースクランプに存在する欠点の少なくとも幾つかを克服することである。本発明のより具体的な目的は、様々な直径に対して使用されることができ、且つ、クランプバンドを、クランプバンドの幅に関係なく実質的に全幅にわたりシールすることを保証する汎用のホースクランプを提供することにあるとみなされる。
【課題を解決するための手段】
【０００９】
この目的は、請求項１に記載のホースクランプにより達成される。このホースクランプにおいて、前記舌状部の唯一の目的は、前記クランプバンドの互いに重なり合う端部を、横方向へのずれを避けるようにガイドすることである。従って、前記舌状部の長さを、材料を節約するために短くし得る。同時に、前記舌状部が座屈しないように前記舌状部を補強する手段（すなわち、より大きいクランプ直径に、また、これらに対応して、より大きい力が発生する場合に必要な手段）は、必須ではない。本発明のホースクランプは、クランプバンド内に段状部がないため、より単純な工具を用いて、より簡単に製造できる。
【００１０】
クランプ直径が大きい場合、及び、直径変動範囲が大きい場合には、アーチ状バンド部が側方バンドウェブに、少なくとも１つの中間位置にて連続していると有利である。
【００１１】
前記開口部が円形であるならば、これらの開口部は製造が容易であり、特に頑丈である。
【００１２】
別の有利な実施形態において、前記フックは、ホースクランプの偶発的な開放を防止するように固定するための固定フックと、前記２つの端部を前記ホースクランプの締め付け状態にて積極的に相互接続するための少なくとも１つの支持フックとを含む。
【００１３】
以下に、本発明の実施形態を、図面を参照しつつ記載する。
【図面の簡単な説明】
【００１４】
【図１】曲げられていない状態のホースクランプの斜視図である。
【図２】図１のホースクランプの、閉じられ且つ締め付けられた状態における断面図である。
【図３】図１のホースクランプの、閉じられ且つ締め付けられた状態における側面図である。
【図４】ホースクランプの、閉じられ且つ締め付けられた状態における斜視図である。
【図５】ホースクランプの、閉じられ且つ締め付けられた状態における斜視図である。
【図６】ホースクランプの変型例を示す、図１の一部に対応する図である。
【図７】ホースクランプの変型例を示す、図１の一部に対応する図である。
【発明を実施するための形態】
【００１５】
図示されているホースクランプは、開いたクランプバンド１０からつくられる。クランプバンド１０は、図１の左下に示されている内側端部から開始し、舌状部１１、２つの支持フック１２、及び、固定フック１３を含む。固定フック１３の側がホースクランプの閉状態において外側になる。クランプバンド１０は、さらに、アーチ状のバンド部１６を含み、バンド部１６は、クランプバンド１０から２つの平行な長手方向カット部１４により切り出されて、側方バンドウェブ１５を残している。クランプバンド１０は、さらに、いわゆる「オエティカイヤー」(“Oetiker ear”)の形態の締め付け装置１７を含む。締め付け装置１７は、外側に曲げられた１対の脚部を有し、これらの脚部は、ビードにより補強されたウェブにより相互接続されている。また、クランプバンド１０は、他端である外端部に、支持フック１２及び固定フック１３を受け入れるための一連の円形開口部１８を有する。
【００１６】
製造業者により予備曲げされているがまだなお開いているホースクランプは、使用されるときに、クランプされる対象物、例えば、ホースにより取り囲まれたパイプニップルの周囲に配置される。これにより舌状部１１が、アーチ状バンド部１６の下で２つの側方バンドウェブ１５間に配置される。次いで、固定フック１３が、クランプされる対象物の直径に対応する開口部１８内に挿入され、これにより支持フック１２が、隣接する開口部１８に係合する。その後、ホースクランプは、締め付け装置１７の耳状部を、プライヤタイプの道具を用いて狭めることにより締め付けられる。固定フック１３は、クランプバンドの端部の横方向のずれを防止するように固定する。支持フックが、力の流れを保証する。
【００１７】
クランプバンドが締め付けられるときに、それぞれの直径に対応する位置にて、舌状部１１がアーチ状バンド部１６により、内側締め付けバンド１０の高さまで押される。同時に側方バンドウェブ１５が、クランプされている対象物に向かって、クランプバンド１０に存在する張力及びホースクランプの湾曲により引き寄せられ、これにより、全周にわたるほぼ均一で隙間のないシール力を、舌状部１１との組み合わせにより保証する。
【００１８】
図６及び図７に示されているように、平行な長手方向カット部１４を複数の位置１９（又は１つの位置のみ）にて中断して、この位置にてアーチ状バンド部１６を側方バンドウェブ１５に連続させてもよい。この特徴は、アーチ状バンド部が舌状部１１を、クランプされるべき対象物に向かってしっかりと引き寄せることを確実にするために、大きいホースクランプ直径、又は、直径変動範囲が大きい場合に有用である。
【符号の説明】
【００１９】
１０  クランプバンド
１１  舌状部
１２  支持フック
１３  固定フック
１４  長手方向カット部
１５  バンドウェブ
１６  アーチ状バンド部
１７  締め付け装置
１８  開口部
１９  接続位置
【図１】
0006637080.tif 000002
【図２】
0006637080.tif 000003
【図３】
0006637080.tif 000004
【図４】
0006637080.tif 000005
【図５】
0006637080.tif 000006
【図６】
0006637080.tif 000007
【図７】
0006637080.tif 000008